【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
コンテンツ本体と、該コンテンツ本体に付与される識別情報とを有するコンテンツデータの正当性を検出するコンテンツ不正検出プログラムにおいて、
前記識別情報は、前記コンテンツ本体の配信禁止期間又は配信許可期間を示す配信期間情報と、該コンテンツ本体の配信媒体を規定した配信媒体情報とのうち、少なくとも一方を含む配信形態情報と、該コンテンツ本体を一意に識別するためのコンテンツ識別子と、を有し、
コンピュータのデータ取得手段により、前記コンテンツデータを取得し、該コンテンツデータを該コンピュータのコンテンツ記憶領域に格納するコンテンツデータ取得ステップと、
前記コンテンツデータ取得ステップで前記コンテンツデータを取得する際のコンテンツ取得形態情報を把握する取得形態把握ステップと、
前記コンテンツ記憶領域に格納されている前記コンテンツデータから、前記識別情報を抽出する識別情報抽出ステップと、
前記取得形態把握ステップで把握された前記コンテンツ取得形態情報と、前記識別情報抽出ステップで抽出された前記識別情報に含まれる前記配信形態情報とを比較し、該コンテンツ取得形態情報が該配信形態情報で示されている条件を満たすか否かに応じて、該コンテンツデータが正当か不正かの正当性を判定する正当性判定ステップと、
前記コンピュータの記憶領域に、前記正当性判定ステップでの判定結果を格納する結果記憶ステップと、
を前記コンピュータに実行させることを特徴とするコンテンツ不正検出プログラム。
【請求項２】
コンテンツ本体と、該コンテンツ本体に付与される識別情報とを有するコンテンツデータの正当性を検出するコンテンツ不正検出プログラムにおいて、
前記識別情報は、前記コンテンツ本体の配信禁止期間又は配信許可期間を示す配信期間情報と、該コンテンツ本体の配信媒体を規定した配信媒体情報とのうち、少なくとも一方を含む配信形態情報と、該コンテンツ本体を一意に識別するためのコンテンツ識別子と、を有し、
コンピュータのコンテンツ記憶領域に格納されている前記コンテンツデータから、前記識別情報を抽出する識別情報抽出ステップと、
前記コンテンツ記憶領域に格納した前記コンテンツデータを取得する際に得たコンテンツ取得形態情報と、前記識別情報抽出ステップで抽出された前記識別情報に含まれる前記配信形態情報とを比較し、該コンテンツ取得形態情報が該配信形態情報で示されている条件を満たすか否かに応じて、該コンテンツデータが正当か不正かの正当性を判定する正当性判定ステップと、
前記コンピュータの記憶領域に、前記正当性判定ステップでの判定結果を格納する結果記憶ステップと、
を前記コンピュータに実行させることを特徴とするコンテンツ不正検出プログラム。
【請求項３】
請求項１及び２のいずれか一項に記載のコンテンツ不正検出プログラムにおいて、
前記識別情報中の前記配信形態情報には、前記配信媒体情報が含まれ、
前記コンテンツ取得形態情報には、前記コンテンツデータの提出元を示す提出元情報が含まれ、
前記正当性判定ステップでは、前記コンピュータの記憶領域に予め記憶されている提出元と該提出元の事業内容との関係から、前記コンテンツ形態情報中の前記提出元情報が示す提出元の事業内容を把握し、該事業内容に応じたコンテンツデータの利用形態が、前記配信媒体情報が示す配信媒体を利用するか否かに応じて、前記コンテンツデータの正当性を判定する、
ことを特徴とするコンテンツ不正検出プログラム。
【請求項４】
請求項１及び２のいずれか一項に記載のコンテンツ不正検出プログラムにおいて、
前記識別情報中の前記配信形態情報には、前記配信媒体情報が含まれ、
前記コンテンツ取得形態情報には、前記コンテンツ本体を取得した際の取得媒体名が含まれ、
前記正当性判定ステップでは、前記コンテンツ取得形態情報中の前記取得媒体名が前記配信媒体情報が示す前記配信媒体であるか否かに応じて、前記コンテンツデータの正当性を判定する、
ことを特徴とするコンテンツ不正検出プログラム。
【請求項５】
請求項１から４いずれか一項に記載のコンテンツ不正検出プログラムにおいて、
前記識別情報中の前記配信形態情報には、前記配信期間情報が含まれ、
前記コンテンツ取得形態情報には、前記コンテンツ本体の取得時期が含まれ、
前記正当性判定ステップでは、前記コンテンツ取得形態情報中の前記取得時期が前記配信期間情報が示す配信禁止期間又は配信許可期間を満たすか否かに応じて、前記コンテンツデータの正当性を判定する、
ことを特徴とするコンテンツ不正検出プログラム。
【請求項６】
請求項１から５のいずれか一項に記載のコンテンツ不正検出プログラムにおいて、
前記コンテンツ取得形態情報には、前記コンテンツデータの提出元を示す提出元情報が含まれ、
前記記憶領域に記憶された判定結果が不正である場合に、前記提出元情報が示す提出元に、提出したコンテンツデータが不正である旨を通知する、及び/又は提出したコンテンツデータの削除要求を通知する不正通知ステップを、
前記コンピュータの通信手段に実行させることを特徴とするコンテンツ不正検出プログラム。
【請求項７】
請求項１から６のいずれか一項に記載のコンテンツ不正検出プログラムにおいて、
前記コンテンツ取得形態情報には、前記コンテンツデータの提出元を示す提出元情報が含まれ、
前記記憶領域に記憶された判定結果が不正である場合に、コンテンツの権利関係を管理する装置に、前記提出元情報が示す提出元が提出した前記コンテンツデータが不正である旨と該提出元情報と前記識別情報とを含む情報を通知する不正通知ステップを、
前記コンピュータの通知手段に実行させることを特徴とするコンテンツ不正検出プログラム。
【請求項８】
請求項１から７のいずれか一項に記載のコンテンツ不正検出プログラムにおいて、
前記正当性判定ステップでの判定結果が不正である場合に、前記コンテンツ記憶領域に格納されている不正なコンテンツデータを削除するコンテンツ削除ステップを、
前記コンピュータに実行させることを特徴とするコンテンツ不正検出プログラム。
【請求項９】
コンテンツ本体と、該コンテンツ本体に付与される識別情報とを有するコンテンツデータの正当性を検出するコンテンツ不正検出装置において、
前記識別情報は、前記コンテンツ本体の配信禁止期間又は配信許可期間を示す配信期間情報と、該コンテンツ本体の配信媒体を規定した配信媒体情報とのうち、少なくとも一方を含む配信形態情報と、該コンテンツ本体を一意に識別するためのコンテンツ識別子と、を有し、
前記コンテンツデータを取得するコンテンツデータ取得手段と、
前記コンテンツデータ取得手段が取得した前記コンテンツデータを格納するコンテンツ記憶領域と、
前記コンテンツデータ取得手段が前記コンテンツデータを取得する際のコンテンツ取得形態情報を把握する取得形態把握手段と、
前記コンテンツ記憶領域に格納されている前記コンテンツデータから、配信形態情報を含む識別情報を抽出する識別情報抽出手段と、
前記取得形態把握手段が把握した前記コンテンツ取得形態情報と、前記識別情報抽出手段が抽出した前記識別情報に含まれる前記配信形態情報とを比較し、該コンテンツ取得形態情報が該配信形態情報で示されている条件を満たすか否かに応じて、該コンテンツデータが正当か不正かの正当性を判定する正当性判定手段と、
前記正当性判定手段による判定結果を格納する結果記憶領域と、
を備えていることを特徴とするコンテンツ不正検出装置。
【請求項１０】
請求項９に記載のコンテンツ不正検出装置において、
コンテンツデータの複数の提出元を巡回させて、前記コンテンツ取得手段により、コンテンツデータの複数の提出元から順次コンテンツデータを取得させる巡回制御手段を、
備えていることを特徴とするコンテンツ不正検出装置。
【請求項１１】
請求項９及び１０のいずれか一項に記載のコンテンツ不正検出装置において、
前記正当性判定手段による判定結果が不正である場合に、前記コンテンツ記憶領域に格納されている不正なコンテンツデータを削除するコンテンツ削除手段を、
備えていることを特徴とするコンテンツ不正検出装置。
【請求項１２】
請求項９から１１のいずれか一項に記載のコンテンツ不正検出装置において、
コンテンツデータと共に、該コンテンツデータの証明書発行依頼を受け付け、該コンテンツデータを前記コンテンツ記憶領域に格納する証明書発行依頼受付手段と、
前記正当性判定手段による判定結果が正当である場合に、コンテンツ識別子を含む証明書を生成する証明書生成手段と、
前記証明書生成手段で生成された前記証明書を証明書発行依頼元へ送る証明書発行手段と、
を備えていることを特徴とするコンテンツ不正検出装置。
【請求項１３】
コンテンツ本体と、該コンテンツ本体に付与される識別情報とを有するコンテンツデータの正当性を検出するコンテンツ不正検出方法において、
前記識別情報は、前記コンテンツ本体の配信禁止期間又は配信許可期間を示す配信期間情報と、該コンテンツ本体の配信媒体を規定した配信媒体情報とのうち、少なくとも一方を含む配信形態情報と、該コンテンツ本体を一意に識別するためのコンテンツ識別子と、を有し、
コンピュータのデータ取得手段により、前記コンテンツデータを取得し、該コンテンツデータを該コンピュータのコンテンツ記憶領域に格納するコンテンツデータ取得ステップと、
前記コンテンツデータ取得ステップで前記コンテンツデータを取得する際のコンテンツ取得形態情報を把握する取得形態把握ステップと、
前記コンテンツ記憶領域に格納されている前記コンテンツデータから、配信形態情報を含む識別情報を抽出する識別情報抽出ステップと、
前記取得形態把握ステップで把握された前記コンテンツ取得形態情報と、前記識別情報抽出ステップで抽出された前記識別情報に含まれる前記配信形態情報とを比較し、該コンテンツ取得形態情報が該配信形態情報で示されている条件を満たすか否かに応じて、該コンテンツデータが正当か不正かの正当性を判定する正当性判定ステップと、
前記コンピュータの記憶領域に、前記正当性判定ステップでの判定結果を格納する結果記憶ステップと、
を前記コンピュータで実行することを特徴とするコンテンツ不正検出方法。